(57)【特許請求の範囲】
【請求項１】
床面に起立する支持構造体と、
着座者が身体を載せる着座体と、
前記着座体の外側方に位置するように、前記着座体に支持され、電源配線が引き出される電力利用ブロックと、を備え、
前記着座体が、
前記支持構造体に支持され上面側で着座者の臀部を支持する座領域と、
該座領域の前部から前方に向かって延出して、上面側で着座者の脚部を支持する脚支持領域と、
前記座領域の後部から上部後方に向かって延出して、前面側で着座者の背部を支持する背支持領域と、を有し、
前記着座体の前記座領域の下方に、前記着座体の外側方の前記電力利用ブロックから引き出された前記電源配線の周域を覆う配線遮蔽部材が設けられ、
前記支持構造体は、前記配線遮蔽部材から前方に離間した位置で前記着座体を前記床面上に支持する前方側支持脚と、前記配線遮蔽部材から後方に離間した位置で前記着座体を前記床面上に支持する後方側支持脚の少なくとも一方を備えていることを特徴とする椅子。
【請求項２】
前記配線遮蔽部材は、前記着座体の座領域を床面上で支持して、前記支持構造体の一部として機能することを特徴とする請求項１に記載の椅子。
【請求項３】
前記支持構造体は、前後に離間した位置で前記着座体を前記床面上に支持する前方側支持脚及び後方側支持脚と、前後方向に延出して前記前方側支持脚と前記後方側支持脚を連結する連結部材と、を備え、
前記電力利用ブロックは、前記連結部材の外側方に配置されていることを特徴とする請求項１または２に記載の椅子。
【請求項４】
前記連結部材は、幅方向外側の側部に少なくとも一対設けられ、
一対の前記連結部材は、前後方向略中央の両者の離間幅が前後方向両端の両者の離間幅よりも狭まるように屈曲して形成され、
一対の前記連結部材の離間幅の狭い領域に、前記配線遮蔽部材が取り付けられていることを特徴とする請求項３に記載の椅子。
【請求項５】
前記電力利用ブロックには、側方に向かって突出する連結ブラケットが延設され、
前記連結ブラケットは、先端部が一対の前記連結部材の離間幅の狭い領域に近接した状態で前記着座体の前記座領域の下面に取り付けられ、
前記連結ブラケットには、前記電力利用ブロックから引き出された前記電源配線を前記着座体の前記座領域の下面との間で案内する案内溝が設けられ、
前記電力利用ブロックから引き出された前記電源配線は、前記案内溝を通して前記配線遮蔽部材の内側に引き入れられることを特徴とする請求項４に記載の椅子。
【発明の詳細な説明】
【技術分野】
【０００１】
この発明は、例えば、公共施設の待合室等で用いられる椅子に関するものである。
【背景技術】
【０００２】
空港ロビー等の公共施設の待合室等で用いられる椅子として、床面上に設置された略水平に延出する支持杆に、座を有する椅子本体と、電源プラグの差込口を有する給電ブロックが設置されたものが知られている(特許文献１)。
【０００３】
特許文献１に記載の椅子は、電源プラグの差込口を有する給電ブロックが椅子本体の座の側部下方位置で支持杆に取り付けられ、電源プラグの差込口がその給電ブロックの前面に前方側に開口して設けられている。給電ブロックから引き出された電源配線は床面上を這わせて所定の位置において床下の電力供給ケーブルに接続されている。
この特許文献１に記載の椅子においては、電源プラグの差込口が座の側部下方で椅子の前方側に開口しているため、足裏を床面に着けて座に着座した着座者は、着座状態から僅かに前下方に屈むだけで、差込口に電源プラグを差し込で電源利用機器を使用することができる。
【０００４】
一方、より長時間の着座に堪え得るように、座領域の前後に脚支持領域と背支持領域が連続して設けられた椅子が知られている(特許文献２参照)。
【０００５】
特許文献２に記載の椅子は、床面に起立する支持構造体の上部に着座者の身体を載せる着座体が設置され、着座体の座領域の前部には、上面側で着座者の脚部を支持する脚支持領域が設けられ、座領域の後部には、前面側で着座者の背部を支持する背支持領域が設けられている。脚支持領域は、着座者の膝上部分を支持する膝上支持領域と、着座者の膝下部分を支持する膝下支持領域とから成り、膝上支持領域は、座領域の前部から前方に向かって略水平に延出し、膝下支持領域は、膝上支持領域の前部から前下方に向かって傾斜して延出している。また、背支持領域は、座領域の後部から後上方側に向かって延出している。
この特許文献２に記載の椅子においては、着座者が脚部のほぼ全体を脚支持領域上に預け載せ、リラックスした状態で着座することができる。
【先行技術文献】
【特許文献】
【０００６】
【特許文献１】米国特許第６６８３３９４号明細書
【特許文献２】特開２００１−２６９３７７号公報
【発明の概要】
【発明が解決しようとする課題】
【０００７】
現在、空港ロビー等の公共施設の待合室等で用いられる椅子においても、着座者の上半身と下半身を着座体にゆったりと載せ置くことができる特許文献２に記載のようなタイプの椅子が望まれている。また、このようなタイプの椅子としたときにも、電力利用ブロック（電源プラグの差込口も含む）を着座体の近傍に配置することが必要な場合があり、その場合には、電力利用ブロックから引き出された電源配線を安全に引き回すことが望まれる。
【０００８】
しかし、特許文献２に記載のようなタイプの椅子において、電源利用ブロックを着座体の近傍に配置し、電源利用ブロックから引き出された電源配線を電源利用ブロックの直下位置から下方に引き延ばすと、たとえ、その周囲を遮蔽部材で覆ったとしても、着座した着座者の手先や歩行者の足元に近くなることから、電源配線の周域に人が接触する可能性が考えられる。また、悪意を持った第三者が電源配線にアクセスしようとした場合にも、電源配線が簡単に手の届く位置に配置されることから、アクセスが容易になることが懸念される。
【０００９】
そこでこの発明は、着座体の座領域の前後に着座者の脚部を載せ置く領域と背部を支持する領域を有する椅子において、電源利用ブロックから引き出された電源配線に外部からアクセスされ難い椅子を提供しようとするものである。
【課題を解決するための手段】
【００１０】
この発明に係る椅子は、上記課題を解決するために、床面に起立する支持構造体と、着座者が身体を載せる着座体と、前記着座体の外側方に位置するように、前記着座体に支持され、電源配線が引き出される電力利用ブロックと、を備え、前記着座体が、前記支持構造体に支持され上面側で着座者の臀部を支持する座領域と、該座領域の前部から前方に向かって延出して、上面側で着座者の脚部を支持する脚支持領域と、前記座領域の後部から上部後方に向かって延出して、前面側で着座者の背部を支持する背支持領域と、を有し、前記着座体の前記座領域の下方に、前記着座体の外側方の前記電力利用ブロックから引き出された前記電源配線の周域を覆う配線遮蔽部材が設けられ、前記支持構造体は、前記配線遮蔽部材から前方に離間した位置で前記着座体を前記床面上に支持する前方側支持脚と、前記配線遮蔽部材から後方に離間した位置で前記着座体を前記床面上に支持する後方側支持脚の少なくとも一方を備えるようにした。
【００１１】
これにより、着座体の前端側からも後端側からも離間した座領域の下方位置に配線遮蔽部材が設けられ、電力利用ブロックから引き出された電源配線の周域が配線遮蔽部材によって覆われる。このため、電源配線の周域を被う配線遮蔽部材には、着座体の前方と後方のいずれ側からもアクセスされ難くなる。
また、配線遮蔽部材が着座体の座領域の下方に配置されるため、着座体に着座した着座者の腕先が着座体の側部下方に下がった場合にも、着座者の手が配線遮蔽部材に接触することがなくなり、歩行者等が着座体に近接した場合にも、歩行者等の足先が配線遮蔽部材に接触することもなくなる。
さらに、悪意を持った第三者が配線遮蔽部材の内部にアクセスしようとした場合には、着座体の下方の狭いスペースに潜り込まなければ配線遮蔽部材に手を触れることができないため、悪意を持った第三者のアクセスも未然に防止することができる。また、着座者から視認できない後方から配線遮蔽部材に第三者がアクセスしようとした場合でも、背支持領域が第三者の進行してくる方向に向かって突出しているため、第三者の進行を阻むことができるとともに、配線遮蔽部材を第三者から視認しにくい状況におくことができる。
【００１２】
この場合、着座体に加わる着座者の荷重は、前方側支持脚と後方側支持脚の少なくとも一方を通して床面上に支持させることができる。そして、前方側支持脚と後方側支持脚の少なくとも一方を備えているため、配線遮蔽部材の下端がたとえ床面上に接する構造であっても、配線遮蔽部材に着座体側からの大きな荷重が作用するのを回避することができる。したがって、配線遮蔽部材をさほど強度を要しない構造とすることができるため、配線遮蔽部材の製造コストを低減することができる。
【００１３】
前記配線遮蔽部材は、前記着座体の座領域を床面上で支持して、前記支持構造体の一部として機能するようにしても良い。
この場合、着座者の臀部のほぼ下方位置において、着座者の荷重を配線遮蔽部材によって床面上に安定的に支持させることができる。
【００１４】
前記支持構造体は、前後に離間した位置で前記着座体を前記床面上に支持する前方側支持脚及び後方側支持脚と、前後方向に延出して前記前方側支持脚と前記後方側支持脚を連結する連結部材と、を備え、前記電力利用ブロックは、前記連結部材の外側方に配置されるようにしても良い。
この場合、電力利用ブロックが連結部材の外側方に配置されることから、電力利用ブロックから支持構造体の幅方向内側に向かって電源配線をほぼ直線的に引き出して、配線遮蔽部材の内側に引き入れることができる。したがって、この構造を採用することにより、電源配線の長さを短くすることができる。
【００１５】
前記連結部材は、幅方向外側の側部に少なくとも一対設けられ、一対の前記連結部材は、前後方向略中央の両者の離間幅が前後方向両端の両者の離間幅よりも狭まるように屈曲して形成され、一対の前記連結部材の離間幅の狭い領域に、前記配線遮蔽部材が取り付けられるようにしても良い。
この場合、一対の連結部材に配線遮蔽部材が取り付けられることから、配線遮蔽部材を高い剛性を持って支持構造体に支持させることができる。特に、配線遮蔽部材は、一対の連結部材の前後方向略中央の離間幅の狭まった領域に取り付けられることから、支持構造体の幅方向の略中央領域に高い剛性をもって支持される。
【００１６】
前記電力利用ブロックには、側方に向かって突出する連結ブラケットが延設され、前記連結ブラケットは、先端部が一対の前記連結部材の離間幅の狭い領域に近接した状態で前記着座体の前記座領域の下面に取り付けられ、前記連結ブラケットには、前記電力利用ブロックから引き出された前記電源配線を前記着座体の前記座領域の下面との間で案内する案内溝が設けられ、前記電力利用ブロックから引き出された前記電源配線は、前記案内溝を通して前記配線遮蔽部材の内側に引き入れられるようにしても良い。
この場合、電力利用ブロックから引き出された電源配線は、連結ブラケットの案内溝と着座体の座領域の下面との間を通して配線遮蔽部材の内側に引き入れられる。したがって、電力利用ブロックから引き出された電源配線を、連結ブラケットと着座体によって周域を取り囲んだ状態において配線遮蔽部材に向かって配線することができる。
【発明の効果】
【００１７】
この発明によれば、前方側に脚支持領域が延出し、かつ、後方側に背支持領域が延出する座領域の下方に配線遮蔽部材が設けられ、その配線遮蔽部材によって電力利用ブロックから引き出された電源配線の周域が覆われるため、配線遮蔽部材によって周域を覆われる電源配線には、着座体の前方と後方のいずれ側からもアクセスされ難くなる。
【図面の簡単な説明】
【００１８】
【図１】この発明の一実施形態に係る椅子の斜視図である。
【図２】この発明の一実施形態に係る椅子の左側面図である。
【図３】この発明の一実施形態に係る椅子の分解斜視図である。
【図４】この発明の一実施形態に係る椅子の支持構造体の左側面図である。
【図５】この発明の一実施形態に係る椅子の支持構造体の上面図である。
【図６】この発明の一実施形態に係る椅子の支持構造体の前面図である。
【図７】この発明の一実施形態に係る椅子の支持構造体と側部構造体の一部の斜視図である。
【発明を実施するための形態】
【００１９】
以下、この発明の一実施形態を図面に基づいて説明する。なお、以下の説明においては、着座者が正規姿勢で椅子に着座した状態において、着座者の頭部が前方を向く向きを「前」と呼び、それと逆側を「後」と呼ぶものとする。また、上下と左右については、特別に断らない限り、着座者が椅子に正規姿勢で着座したときの着座者を中心とした向きと同一とする。また、図面において、矢印ＦＲは前方を指し、矢印ＵＰと矢印ＬＨは、それぞれ上方と左側方を指すものとする。
【００２０】
図１，図２は、この実施形態に係る椅子１の全体構成を示す図である。
この実施形態に係る椅子１は、空港の待合室等で用いられる椅子であり、床面に起立する支持構造体１０と、支持構造体１０の上部に支持され着座者が身体を載せる着座体２０と、着座体２０の右側部に支持される側部構造体３０と、を備えている。なお、この実施形態においては、側部構造体３０が電力利用ブロックを構成している。
【００２１】
着座体２０は、図２に示すように、着座者の臀部を支持する座領域Ａ１と、着座者の脚部を支持する脚支持領域である膝上支持領域Ａ２および膝下支持領域Ａ３と、着座者の背部を支持する背支持領域Ａ４と、を有している。座領域Ａ１は、前後方向の略中央の上面側が前後方向で緩やかに凹状に湾曲しており、その上面で着座者の臀部を支持する。膝上支持領域Ａ２は、座領域Ａ１の前部から前上方側に向かって傾斜して延出し、膝下支持領域Ａ３は、膝上支持領域Ａ２の前部から前下方に向かって傾斜して延出している。膝上支持領域Ａ２は、その上面側で着座者の脚部の膝上部分を支持し、膝下支持領域Ａ３は、その上面側で着座者の脚部の膝下部分を支持する。また、膝上支持領域Ａ２と膝下支持領域Ａ３の境界部Ｐ上には、着座者のほぼ膝裏部分が支持される。この実施形態の椅子１では、背支持領域Ａ４の後端部から膝下支持領域Ａ３の前端部に亘る全域が緩やかな曲面を描いて連続している。
なお、この実施形態の椅子１では、膝上支持領域Ａ２が座領域Ａ１の前部から前上方に傾斜して延出しているが、膝上支持領域Ａ２は、座領域Ａ１の前部から前方に向かって略水平に延出する形状であっても良い。また、この実施形態の椅子１の座領域Ａ１は、上面が前後方向で凹状に湾曲して形成されているが、座領域Ａ１は、略水平をなすように形成するようにしても良い。さらに、膝上支持領域Ａ２が略水平をなす場合には、その膝上支持領域Ａ２と連続して略水平をなすようにしても良い。
【００２２】
図３は、この実施形態に係る椅子１を分解して示した図である。
同図に示すように、着座体２０は、支持構造体１０に締結固定されるベース部材２１と、接着シート２２Ａ，２２Ｂを介してベース部材２１の上面に結合されるクッション部材２３Ａ，２３Ｂと、を備えている。ベース部材２１は、背支持領域Ａ４の後端部から膝下支持領域Ａ３の前端部に亘る全域が肉厚の一枚の強度部材によって形成されている。ベース部材２１を構成する強度部材としては、例えば、鋼板や木板等を採用することができる。ベース部材２１に支持されたクッション部材２３Ａ，２３Ｂの上面には、着座者の身体が載せ置かれる。
【００２３】
側部構造体３０は、内部がほぼ中空の箱型フレーム３１の上部に、上面が物品載置面３２ａとして機能する天板３２が取り付けられ、箱型フレーム３１の鉛直に垂立する前壁３３に電源プラグの差込口３４ａ，３４ａを有する電源接続ユニット３４が取り付けられている。電源接続ユニット３４からは、設備の電力源に接続される電源配線３５が、箱型フレーム３１内を通して引き出されている。箱型フレーム３１の左右両側の側面は側板３７，３８によって閉塞されている。また、箱型フレーム３１の着座体２０側の側面には、側方に向かって突出する連結ブラケット３６が延設されている。連結ブラケット３６は、基端側が箱型フレーム３１の内部に剛的に結合され、その結合部から側板３７を貫通して外部に突出している。連結ブラケット３６は、着座体２０のベース部材２１の座領域Ａ１の下面にボルト締結によって固定される。
【００２４】
図４は、支持構造体１０の左側面を示す図であり、図５は、支持構造体１０の上面を示す図である。また、図６は、支持構造体１０の前面を示す図である。
これらの図にも示すように、支持構造体１０は、前部側で水平に左右に延出する前部支持杆１１Ｆと、後部側で水平に左右に延出する後部支持杆１１Ｒと、を有している。前部支持杆１１Ｆの左右に離間した二位置には、一対の前方側支持脚１２，１２が前部斜め下方に向かって突設されている。後部支持杆１１Ｒの左右に離間した位置には、一対の後方側支持脚１３，１３が後部斜め下方に向かって突設されている。前方側支持脚１２と後方側支持脚１３の下端は床面上に当接して、支持構造体１０を床面上に支持させる。前方側支持脚１２，１２の上部は、前部支持杆１１Ｆを介して着座体２０のうちの膝上支持領域Ａ２と膝下支持領域Ａ３の境界部Ｐ付近を支持し、後方側支持脚１３の上部は、後部支持杆１１Ｒを介して着座体２０のうちの背支持領域Ａ４の背部を支持する。
【００２５】
支持構造体１０は、さらに、左右同側に位置されている前方側支持脚１２と後方側支持脚１３を相互に連結する左右一対の連結杆１４Ｌ，１４Ｒ（連結部材）を有している。連結杆１４Ｌ，１４Ｒは、図５に示すように、上面視では、前後方向中央領域の両者の離間幅が、前後方向両端の両者の離間幅よりも狭まるように屈曲している。したがって、各連結杆１４Ｌ，１４Ｒは、前後方向中央領域が幅方向内側に凹となるように屈曲している。また、連結杆１４Ｌ，１４Ｒの前後方向中央領域は、左右に延出する平行な三本の補助連結杆１５Ｆ，１５Ｃ，１５Ｒによって相互に連結されている。
また、左右の連結杆１４Ｌ，１４Ｒは、側面視では、図４に示すように着座体２０の下面形状に略沿うように屈曲して形成されている。
【００２６】
前方側の補助連結杆１５Ｆと中央の補助連結杆１５Ｃには、着座体２０の座領域Ａ１の下面を支持する支持プレート３９が溶接固定されている。支持プレート３９の上部には、着座体２０のベース部材２１がボルト締結されるようになっている。なお、着座体２０のベース部材２１は、その前部側下面と後部側下面が前部支持杆１１Ｆと後部支持杆１１Ｒにも締結固定される。
【００２７】
また、中央の補助連結杆１５Ｃと後方側の補助連結杆１５Ｒには、長方形状の筒形断面の配線遮蔽部材５０が下方に突出した状態で取り付けられている。中央の補助連結杆１５Ｃと後方側の補助連結杆１５Ｒは、左右の連結杆１４Ｌ，１４Ｒの両者の離間幅が狭い前後方向中央領域に連結されているため、配線遮蔽部材５０は、補助連結杆１５Ｃ，１５Ｒを介して連結杆１４Ｌ，１４Ｒの離間幅の狭い領域に取り付けられているものと言える。
配線遮蔽部材５０は上方側に開口し、側部構造体３０から引き出された電源配線３５が、その開口を通して引き入れられるようになっている。配線遮蔽部材５０の底壁には、電源配線３５を床下の電源部に接続するための貫通孔５１（図５参照）が形成されている。配線遮蔽部材５０の底壁には、その下面が床面上に当接する高さ調整ボス５２が設けられている。
【００２８】
中央の補助連結杆１５Ｃと後方側の補助連結杆１５Ｒは、前方側支持脚１２，１２と後方側支持脚１３，１３の間であって、着座体２０の座領域Ａ１のうちの最も低い部分の下方に位置されている。したがって、配線遮蔽部材５０は、着座体２０の座領域Ａ１の最も低い部分の下方位置において下方に向かって突出している。また、この実施形態の場合、配線遮蔽部材５０は、上記のように下面が床面上に当接することで支持構造体１０の一部としても機能する。このため、配線遮蔽部材５０は、着座体２０からの入力荷重に耐え得るように金属部材等によって高い剛性をもって作られている。
ただし、この実施形態の場合、配線遮蔽部材５０は、前方側支持脚１２，１２と後方側支持脚１３，１３の間に配置されているため、配線遮蔽部材５０の接地部の設定によっては、着座体２０に作用する荷重を、前方側支持脚１２，１２と後方側支持脚１３，１３とに主に支持させることも可能である。
【００２９】
また、前方側の補助連結杆１５Ｆと前部支持杆１１Ｆの幅方向の中央領域同士は連結杆１４Ｃ−１によって連結されている。同様に、後方側の補助連結杆１５Ｒと後部支持杆１１Ｒの幅方向の中央領域同士は連結杆１４Ｃ−２によって連結されている。
【００３０】
ここで、側部構造体３０の箱型フレーム３１は、図２に示すように、前壁３３の下端から後方に向かって下方傾斜する底壁４０と、底壁４０の後端部から後方に向かって上方傾斜する後壁４１を有している。側部構造体３０は、底壁４０と後壁４１の一部が着座体２０の座領域Ａ１の右側下方に位置に、後壁４１の残余の一部が着座体２０の背支持領域Ａ２の右側後方に位置するように、着座体２０に取り付けられている。
この状態において、側部構造体３０の前壁３３の差込口３４ａは、側面視で、着座体２０の膝上支持領域Ａ２の上面よりも上方で、なおかつ、膝上支持領域Ａ２と膝下支持領域Ａ３との境界部Ｐよりも後方となる位置に配置されている。より具体的には、差込口３４ａは、側面視で着座体２０の膝上支持領域Ａ２の後部寄り上面よりも若干上方側となる位置に配置されている。
【００３１】
また、側部構造体３０は、側面視で、着座体２０の背支持領域Ａ４の側部に達する前後長に形成されている。側部構造体３０の天板３２は、箱型フレーム３１の上端部よりも一回り大きく形成されている。そして、天板３２の物品載置面３２ａの前端部３２ａ−Ｅは、前壁３３の差込口３４ａよりも前方側に位置されている。
【００３２】
図７は、側部構造体３０の連結ブラケット３６の構造を詳細に示す図である。
同図にも示すように、連結ブラケット３６は、側部構造体３０の箱型フレーム３１の内部から突出する前後一対の連結部材３６ａ，３６ａと、前後の連結部材３６ａ，３６ａの間に取り付けられ、箱型フレーム３１から引き出された電源配線３５を支持構造体１０の幅方向中心側に案内するガイドプレート３６ｂと、を備えている。ここで、連結ブラケット３６の連結部材３６ａ，３６ａは、先端部が連結杆１４Ｌ，１４Ｒの離間幅の狭い領域に、連結杆１４Ｌ，１４Ｒと略直角な方向から近接するように着座体２０に取り付けられる。したがって、電力利用ブロックである側部構造体３０は、連結部材である連結杆１４Ｌ，１４Ｒの外側方に配置される。
【００３３】
連結ブラケット３６のガイドプレート３６ｂは、支持構造体１０の幅方向に沿って延出する断面コ字状の案内溝３６ｂ−１を有している。案内溝３６ｂ−１は、上方側に向かって開口し、一対の連結部材３６ａ，３６ａが着座体２０の座領域Ａ１の下面に締結固定された状態で、座領域Ａ１の下面との間で電源配線３５を案内する。
なお、この実施形態においては、連結ブラケット３６が着座体２０の座領域Ａ１の下面に締結固定されることによって、側部構造体３０が着座体２０に支持されているが、側部構造体３０は、支持構造体１０に連結される構造であっても良い。また、側部構造体３０が床面上に直接支持されるようにしても良い。
【００３４】
以上のように、この実施形態に係る椅子１においては、着座体２０の前端側からも後端側からも離間した座領域Ａ１の下方位置に配線遮蔽部材５０が設けられ、電力利用ブロックである側部構造体３０から引き出された電源配線３５の周域が配線遮蔽部材５０によって覆われている。このため、電源配線３５の周域を被う配線遮蔽部材５０には、着座体２０の前方と後方のいずれ側からもアクセスされ難い。
【００３５】
即ち、配線遮蔽部材５０が着座体２０の座領域Ａ１の下方に配置されていることから、着座体２０に着座した着座者の腕先が着座体の側部下方に下がった場合にも、着座者の手が配線遮蔽部材５０に接触することがなく、また、歩行者等が着座体に近接した場合にも歩行者等の足先が配線遮蔽部材５０に接触することもない。
さらに、悪意を持った第三者が配線遮蔽部材５０の内部にアクセスしようとした場合には、着座体の下方の狭いスペースに潜り込まなければ配線遮蔽部材５０に手を触れることもできない。また、着座者から視認できない後方から配線遮蔽部材５０に第三者がアクセスしようとした場合でも、背支持領域Ａ４が第三者の進行してくる方向に向かって突出しているため、第三者の進行を背支持領域Ａ４によって阻むことができるとともに、配線遮蔽部材５０を第三者から視認しにくい状況におくことができる。このため、悪意を持った第三者のアクセスも未然に防止することができる。
【００３６】
また、この実施形態に係る椅子１は、支持構造体１０の前後の離間した位置に前方側支持脚１２，１２と後方側支持脚１３，１３が設けられ、配線遮蔽部材５０が前方側支持脚１２，１２と後方側支持脚１３，１３の間に配置されている。このため、着座体の上部に作用する大きな荷重を、前方側支持脚１２，１２と後方側支持脚１３，１３とに主に分担支持させ、配線遮蔽部材５０に作用する荷重を小さくすることができる。したがって、配線遮蔽部材５０をさほど強度を要しない構造とすることができるため、配線遮蔽部材５０の製造コストを低減することができる。
【００３７】
なお、この実施形態の椅子１においては、配線遮蔽部材５０から前方側に離間した位置に前方側支持脚１２，１２が設けられるとともに、配線遮蔽部材５０から後方側に離間した位置に後方側支持脚１３，１３が設けられているが、着座体２０を前記床面上に支持する支持脚は、前方側支持脚１２と後方側支持脚１３のいずれか一方であっても良い。この場合においても、配線遮蔽部材５０に作用する荷重を小さくすることができるため、やはり配線遮蔽部材５０をさほど強度を要しない構造とすることができる。
特に、膝上支持領域Ａ２と膝下支持領域Ａ３の前後方向の延出長さが短い場合には、配線遮蔽部材５０から後方側に離間した位置に後方側支持脚を設け、その後方側支持脚と配線遮蔽部材５０によって着座体２０を床面上に支持させたり、後方側支持脚のみによって着座体２０を床面上に支持させることも可能である。また、配線遮蔽部材５０の左右両側に側方側支持脚を設け、その左右の側方支持脚と後方支持脚によって着座体２０を床面上に支持させることも可能である。
【００３８】
また、この実施形態に係る椅子１においては、配線遮蔽部材５０に支持構造体としての機能（荷重支持機能）を積極的に分担させることも可能である。その場合には、配線遮蔽部材５０の強度を充分に高める必要はあるものの、配線遮蔽部材５０が着座体２０の座領域Ａ１の下方に配置されることから、着座者の臀部のほぼ下方位置において、着座者の荷重を配線遮蔽部材５０を介して床面上に安定的に支持させることができる。
【００３９】
さらに、この実施形態に係る椅子１では、支持構造体１０の前側支持脚１２，１２と後側支持脚１３，１３の左右同側のもの同士が連結杆１４Ｌ，１４Ｒによって連結され、その連結杆１４Ｌ，１４Ｒの外側方に電力ブロックである側部構造体３０が配置されている。このため、この椅子１の場合、側部構造体３０から支持構造体１０の幅方向内側に向かって電源配線３５をほぼ直線的に引き出し、配線遮蔽部材５０の内側に引き入れることができる。したがって、この実施形態の構造を採用することにより、電源配線３５の長さを短くすることができる。
【００４０】
また、この実施形態に係る椅子１においては、支持構造体１０の左右の連結杆１４Ｌ，１４Ｒが、前後方向略中央の離間幅が前後方向両端の離間幅よりも狭まるように屈曲しており、左右の連結杆１４Ｌ，１４Ｒの離間幅の狭い領域に配線遮蔽部材５０が取り付けられている。このため、幅方向中央領域において配線遮蔽部材５０を高い剛性を持って支持構造体１０に支持させることができる。
【００４１】
また、この実施形態に係る椅子１の場合、側部構造体３０の側部に突設された連結ブラケット３６が着座体２０の座領域Ａ１の下面に取り付けられ、連結ブラケット３６の先端部が、支持構造体１０の左右の連結杆１４Ｌ，１４Ｒの離間幅の狭い領域に近接した状態で配置されている。そして、連結ブラケット３６には、側部構造体３０から引き出された電源配線３５を着座体２０の座領域Ａ１の下面との間で案内する案内溝３６ｂ−１が設けられ、電源配線３５が案内溝３６ｂ−１を通して配線遮蔽部材５０の内側に引き入れられるようになっている。このため、この実施形態に係る椅子１においては、側部構造体３０から引き出された電源配線３５を、連結ブラケット３６と着座体２０によって周域を取り囲んだ状態で配線遮蔽部材５０に向かって配線することができる。したがって、電源配線３５に対する保護性能を高めることができる。
【００４２】
なお、この発明は上記の実施形態に限定されるものではなく、その要旨を逸脱しない範囲で種々の設計変更が可能である。
【符号の説明】
【００４３】
１  椅子
１０  支持構造体
１２  前方側支持脚
１３  後方側支持脚
１４Ｌ，１４Ｒ  連結杆（連結部材）
２０  着座体
３０  側部構造体（電力利用ブロック）
３５  電源配線
３６  連結ブラケット
３６ｂ−１  案内溝
５０  配線遮蔽部材
Ａ１  座領域
Ａ２  膝上支持領域（脚支持領域）
Ａ３  膝下支持領域（脚支持領域）
Ａ４  背支持領域
【図１】
0006504692.tif 000002
【図２】
0006504692.tif 000003
【図３】
0006504692.tif 000004
【図４】
0006504692.tif 000005
【図５】
0006504692.tif 000006
【図６】
0006504692.tif 000007
【図７】
0006504692.tif 000008